【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
燃料ポンプノズルの燃料導管を適合させて、
適合された燃料導管を作り、さらに
主弁部材の下流位置において、かつ該適合された燃料導管の終端部、燃料源遠位に向けて該適合された燃料導管の内部に燃料滴下防止弁部材を設置する工程であって、
該燃料滴下防止弁部材は、燃料送出遮断条件に呼応し、さらに該主弁部材の該燃料送出遮断と実質上同時に該適合された燃料導管を実質上遮断することができるように、該主弁部材の燃料送出遮断と同時に再構成し、それによって、実質上該主弁部材の該燃料送出遮断と同時に該適合された燃料導管の終端部、該燃料源遠位からの燃料滴下を実質上防止することを特徴とし、
該適合された燃料導管は、単純閉曲線および導管軸線を定義する内側表面を有することを特徴とし、さらに
該燃料滴下防止弁部材は、該単純閉曲線の第１弦の周りで回転できかつ該第１弦に取り付けられる第１燃料遮断部材を含むことを特徴とする工程
を含むことを特徴とする燃料ポンプノズル滴下防止方法。
【請求項２】
前記燃料滴下防止弁部材は、一方向弁を含むことを特徴とする請求項１に記載の燃料ポンプノズル滴下防止方法。
【請求項３】
前記燃料滴下防止弁部材は、２連フラッパバルブを含むことを特徴とする請求項１または２に記載の燃料ポンプノズル滴下防止方法。
【請求項４】
前記適合された燃料導管の内部に燃料滴下防止弁部材を設置する工程は、該燃料滴下防止弁部材を上流方向に付勢させる工程を含むことを特徴とする請求項３に記載の燃料ポンプノズル滴下防止方法。
【請求項５】
前記燃料送出遮断条件は、燃料送出遮断圧力であることを特徴とする請求項１に記載の燃料ポンプノズル滴下防止方法。
【請求項６】
前記燃料滴下防止弁部材は、前記単純閉曲線の第２弦の周りで回転できかつ該第２弦に取り付けられる第２燃料遮断部材をさらに含むことを特徴とする請求項１に記載の燃料ポンプノズル滴下防止方法。
【請求項７】
前記第１弦および前記第２弦は、前記導管軸線に直交する平面内にそれぞれ含まれていることを特徴とする請求項６に記載の燃料ポンプノズル滴下防止方法。
【請求項８】
前記燃料ポンプノズルの燃料導管を適合させて、適合された燃料導管を作り、かつ該適合された燃料導管の内部に燃料滴下防止弁部材を設置する工程は、該燃料導管の内部に燃料滴下防止弁部材を工場固定する工程を含むことを特徴とする請求項１に記載の燃料ポンプノズル滴下防止方法。
【請求項９】
燃料ポンプノズルの燃料導管の終端部、燃料源遠位を燃料送出容器内に設置する工程であって、
該燃料導管は、単純閉曲線および導管軸線を定義する内側表面を有することを特徴とする工程と、
主燃料流量弁部材を操作して該燃料導管を通って燃料の送出を開始する工程と、
少なくとも第１燃料遮断部材を含む燃料滴下防止弁部材を燃料導管遮断構成から燃料導管流量構成へ再構成する工程と、
燃料を燃料源から該燃料導管を通ってさらに該燃料送出容器の中に流す工程と、
該主燃料流量弁部材を操作して、燃料を燃料源から該燃料導管を通ってさらに該燃料送出容器の中に流す該工程を実質上終了させる工程と、
該燃料滴下防止弁部材を該燃料導管流量構成から該燃料導管遮断構成へ再構成する工程と、
該燃料滴下防止弁部材を該燃料導管流量構成から該燃料導管遮断構成へ再構成する該工程を実行することによって該燃料導管の終端部、該燃料源遠位からの燃料滴下を実質上防止する工程であって、
該燃料滴下防止弁部材を該燃料導管流量構成から該燃料導管遮断構成へ再構成する該工程は、該単純閉曲線の第１弦の周りに該第１燃料遮断部材を回転させる工程を含むことを特徴とし、さらに
該第１燃料遮断部材は、該第１弦に取り付けられることを特徴とする工程と、
を含むことを特徴とする燃料ポンプノズル滴下防止方法。
【請求項１０】
前記燃料送出容器は、電動車両燃料タンクおよび航空機燃料タンクからなる群から選択された部材を含むことを特徴とする請求項９に記載の燃料ポンプノズル滴下防止方法。
【請求項１１】
前記主燃料流量弁部材を操作して燃料送出を開始する工程は、燃料ポンプノズル引金をしぼる工程を含むことを特徴とする請求項９に記載の燃料ポンプノズル滴下防止方法。
【請求項１２】
前記燃料滴下防止弁部材を燃料導管遮断構成から燃料導管流量構成へ再構成する工程は、前記付勢力に対抗して該燃料滴下防止弁部材を再構成する工程を含むことを特徴とする請求項９に記載の燃料ポンプノズル滴下防止方法。
【請求項１３】
前記付勢力に対抗して前記燃料滴下防止弁部材を再構成する工程は、前記燃料滴下防止弁部材を実質上半分に折り曲げる工程を含むことを特徴とする請求項１２に記載の燃料ポンプノズル滴下防止方法。
【請求項１４】
前記主燃料流量弁部材を操作して、燃料を燃料源から前記燃料導管を通って前記燃料送出容器の中に流す前記工程を実質上終了させる工程は、前記燃料ポンプノズルの引金を放す工程を含むことを特徴とする請求項９に記載の燃料ポンプノズル滴下防止方法。
【請求項１５】
前記燃料滴下防止弁部材を前記燃料導管流量構成から前記燃料導管遮断構成へ再構成する工程は、該燃料滴下防止弁部材を実質上非平面構成から実質上平面構成へ再構成する工程を含むことを特徴とする請求項９に記載の燃料ポンプノズル滴下防止方法。
【請求項１６】
前記燃料滴下防止弁部材を燃料導管遮断構成から燃料導管流量構成へ再構成する工程は、前記主弁流量部材を操作して前記燃料導管を通って燃料の送出を開始する工程を実行するのと同時に実質上起こることを特徴とする請求項９に記載の燃料ポンプノズル滴下防止方法。
【請求項１７】
前記燃料滴下防止弁部材を前記燃料導管流量構成から前記燃料導管遮断構成へ再構成する工程は、前記主弁流量部材を操作して燃料を送出する工程を実質上終了させる工程を実行するのと同時に実質上起こることを特徴とする請求項９に記載の燃料ポンプノズル滴下防止方法。
【請求項１８】
前記燃料滴下防止弁部材は、２連フラッパバルブを含むことを特徴とする請求項９に記載の燃料ポンプノズル滴下防止方法。
【請求項１９】
燃料コンテナの燃料送出ノズルの燃料導管を適合させて、
（ａ）適合された燃料導管を作り、さらに
（ｂ）該適合された燃料導管の終端部、燃料源遠位に向けた位置において該適合された燃料導管の内部に燃料滴下防止弁部材を設置する工程であって、
該燃料滴下防止弁部材は、
（ａ）燃料が流れるように燃料源コンテナを燃料送出終了配向から燃料送出配向へ再配向させると同時に達成される燃料送出条件、および
（ｂ）該燃料源コンテナを該燃料送出配向から該燃料送出終了配向へ再配向すると同時に、該適合された燃料導管を実質上遮断し、それによって、該燃料源コンテナを該燃料送出終了配向へ該再配向すると同時に、該適合された燃料導管の終端部、該燃料源遠位からの燃料滴下を実質上防止することができるようにするための燃料送出終了条件
に再構成可能に呼応することを特徴とし、また
該適合された燃料導管は、単純閉曲線および導管軸線を定義する内側表面を有することを特徴とし、さらに
該燃料滴下防止弁部材は、該単純閉曲線の第１弦の周りで回転できかつ該第１弦に取り付けられる第１燃料遮断部材を含むことを特徴とする工程
を含むことを特徴とする燃料送出ノズル滴下防止方法。
【請求項２０】
前記燃料滴下防止弁部材は、２連フラッパバルブを含むことを特徴とする請求項１９に記載の燃料送出ノズル滴下防止方法。
【請求項２１】
前記燃料送出配向は、結果として前記適合された燃料導管の終端部、前記燃料源遠位からの燃料流出となる燃料コンテナ傾斜配向であることを特徴とする請求項１９に記載の燃料送出ノズル滴下防止方法。
【請求項２２】
前記燃料送出終了配向は、結果として前記適合された燃料導管の終端部、前記燃料源遠位からの燃料流出の実質上の終了となる燃料コンテナ傾斜配向であることを特徴とする請求項１９に記載の燃料送出ノズル滴下防止方法。
【請求項２３】
前記燃料滴下防止弁部材は、前記単純閉曲線の第２弦の周りで回転できかつ該第２弦に取り付けられる第２燃料遮断部材をさらに含むことを特徴とする請求項１９に記載の燃料送出ノズル滴下防止方法。
【請求項２４】
前記第１弦および前記第２弦は、前記導管軸線に直交する平面内にそれぞれ含まれていることを特徴とする請求項２３に記載の燃料送出ノズル滴下防止方法。
【請求項２５】
前記第１弦および前記第２弦は、実質上同一直線上にあることを特徴とする請求項２４に記載の燃料送出ノズル滴下防止方法。
【請求項２６】
前記第１弦および前記第２弦は、前記単純閉曲線を２等分することを特徴とする請求項２５に記載の燃料送出ノズル滴下防止方法。
【請求項２７】
請求項１９に記載の方法を実行することによって作られる燃料コンテナノズル。
【請求項２８】
燃料コンテナの燃料送出ノズルの燃料導管の終端部、燃料源遠位を燃料送出容器内に設置する工程であって、
該燃料導管は、単純閉曲線および導管軸線を定義する内側表面を有することを特徴とする工程と、
該燃料コンテナを燃料送出終了配向から燃料送出配向へ再配向して、該燃料導管の少なくとも一部を通って燃料の送出を開始する工程と、
少なくとも第１燃料遮断部材を含む燃料滴下防止弁部材を燃料導管遮断構成から燃料導管流量構成へ再構成する工程と
燃料を燃料源から該燃料導管の終端部、該燃料源遠位を通って該燃料送出容器の中に流す工程と、
燃料を燃料源から該燃料導管の終端部、該燃料源遠位を通って該燃料送出容器の中に流す該工程を実質上終了させることができるように、該燃料コンテナを該燃料送出配向から該燃料送出終了配向へ再配向させる工程と、
該燃料滴下防止弁部材を該燃料導管流量構成から該燃料導管防止構成へ再構成する工程と、
該燃料導管の終端部、該燃料源遠位からの燃料滴下を実質上防止する工程であって、
該燃料滴下防止弁部材を該燃料導管流量構成から該燃料導管防止構成へ再構成する該工程は、該単純閉曲線の第１弦の周りで該第１燃料遮断部材を回転させる工程を含むことを特徴とし、さらに
該第１燃料遮断部材は、該第１弦に取り付けられることを特徴とする工程と、
を含むことを特徴とする燃料送出ノズル滴下防止方法。
【請求項２９】
前記燃料滴下防止弁部材を前記燃料導管流量構成から前記燃料導管遮断構成へ再構成する工程は、前記単純閉曲線の第２弦の周りで第２燃料遮断部材を回転させる工程をさらに含むことを特徴とする請求項２８に記載の燃料送出ノズル滴下防止方法。
【請求項３０】
前記第１弦および前記第２弦は、前記導管軸線に直交する平面内にそれぞれ含まれることを特徴とする請求項２９に記載の燃料送出ノズル滴下防止方法。
【請求項３１】
前記第１弦および前記第２弦は、実質上同一直線上にあることを特徴とする請求項３０に記載の燃料送出ノズル滴下防止方法。
【請求項３２】
前記第１弦および前記第２弦は、前記単純閉曲線を２等分することを特徴とする請求項３１に記載の燃料送出ノズル滴下防止方法。
【請求項３３】
前記燃料滴下防止弁部材は、２連フラッパバルブを含むことを特徴とする請求項２８に記載の燃料送出ノズル滴下防止方法。
【請求項３４】
請求項２８に記載の燃料コンテナ、ノズル、およびバルブ部材。